(57)【要約】【課題】特殊な装置や設備を必要とせず、ポリマーディスパージョン等の懸濁物質を含む廃水を迅速に清浄な上澄み水と凝集沈殿物に固液分離することができ、かつ廃水中の有害な重金属類も同時に除去することができる廃水処理剤及び廃水処理方法の提供。【解決手段】少なくとも懸濁物質を含む廃水を処理対象とする廃水処理剤であって、カルシウムアルミネート１００質量部、硫酸アルミニウム１０〜１１０質量部、石灰５〜１５００質量部及び高分子凝集剤１〜２０質量部を含有する廃水処理剤。【選択図】なし【特許請求の範囲】
【請求項１】
少なくとも懸濁物質を含む廃水を処理対象とする廃水処理剤であって、カルシウムアルミネート１００質量部、硫酸アルミニウム１０〜１１０質量部、石灰５〜１５００質量部及び高分子凝集剤１〜２０質量部を含有する廃水処理剤。
【請求項２】
懸濁物質が、ポリマーディスパージョンを主成分とするものである請求項１記載の廃水処理剤。
【請求項３】
カルシウムアルミネートが、ＣａＯとＡｌ2Ｏ3の含有モル比がＣａＯ／Ａｌ2Ｏ3＝０．９〜１．４の結晶質カルシウムアルミネートおよび／またはＣａＯとＡｌ2Ｏ3の含有モル比がＣａＯ／Ａｌ2Ｏ3＝１．６〜２．６の非晶質カルシウムアルミネートである請求項１又は２記載の廃水処理剤。
【請求項４】
さらに、還元剤１０〜３００質量部及び／又はアルカリ金属リン酸塩０．５〜２０質量部を含有する請求項１〜３の何れか１項記載の廃水処理剤。
【請求項５】
廃水１００質量部に対して０．０５〜３．０質量部添加する請求項１〜４の何れか１項記載の廃水処理剤。
【請求項６】
廃水が、さらに重金属類、有害物質及び着色物質から選ばれる１種以上を含むものである請求項１〜５の何れか１項記載の廃水処理剤。
【請求項７】
懸濁物質が、ポリマーセメント、ポリマーモルタルまたはポリマーコンクリートの製造後の製造設備洗浄廃水中のポリマーディスパージョンを主成分とするものである請求項１〜６の何れか１項記載の廃水処理剤。
【発明の詳細な説明】
【技術分野】
【０００１】
本発明は、ポリマーディスパージョン等の懸濁物質を含有する廃水の処理剤に関するものである。
【背景技術】
【０００２】
近年、土木建築分野では構造物の延命化や維持管理のため、ポリマーディスパージョンを含有したポリマーセメント系モルタルやコンクリート等の補修材が用いられている。ポリマーディスパージョンとは、ポリマーエマルジョンやポリマーエマルジョンに安定剤を加えたものを乾燥して得られる再乳化形粉末樹脂である。ポリマーセメントモルタルやコンクリートは、通常のセメントモルタルやコンクリートと比較すると、接着性、防水性、乾燥収縮性、耐薬品性、耐摩耗性、耐衝撃性、中性化抑制効果が向上する。しかしながら、土木建築工事現場においてポリマーセメントモルタルやポリマーコンクリートを製造した後に使用した混練ミキサーの洗浄等で発生したポリマーディスパージョンを含有する廃水は、ポリマーディスパージョンの構成成分である樹脂成分や界面活性剤の一種である乳化剤からなる微粒子が懸濁物質となり白濁するため、ｐＨ調整を行っても廃棄することができず、仮に廃棄すれば河川や海域の水質汚濁や生態系に対して甚大な悪影響を及ぼす。このため、回収して適切に処理する必要がある。しかしながら、一般的なろ過装置ではろ過を行っても白濁を除去することができず、膜分離装置などの特殊なろ過装置の設置が必要となり、処理コストが増大する。さらにポリマーセメント系モルタルやコンクリートの硬化成分であるセメントからは6価クロムなどの重金属類が溶出することがあり、ポリマーディスパージョン等の懸濁物質と重金属類等の有害物質が複合する廃水に対して、排水基準を遵守しなければならない。
【０００３】
土木建築工事現場に限らず、各種産業界および下水道等から排出される懸濁物質、有害物質、着色物質等を含む廃水は、排水基準の規制対象であり、これを満足するように懸濁物質、有害物質、着色物質等を除去した後に公共水域に放流される。近年は、環境保全の高まりから、排水基準が強化される傾向にあり、自治体によっては排水基準に上乗せして、環境基準値を採用するケースも見受けられる。
【０００４】
土木建築工事現場、各種産業界および下水道等から排出される懸濁物質、有害物質、着色物質等を含む廃水は、一般的に第一工程としてポリ塩化アルミニウム（PAC）等の無機系凝集剤を添加して荷電中和（凝結効果）させた後、酸またはアルカリを加えてｐＨ調整を行い、第二工程で高分子凝集剤を添加し、架橋吸着（フロック化）して凝集沈殿させ、処理されている。また無機凝集剤や高分子凝集剤を添加する工程を複数有する処理も行われている（特許文献１〜４）。
【０００５】
しかしながら、上記のような凝集沈殿処理では、使用する薬剤や処理工程が多く複雑になるとともに、撹拌槽や沈殿槽などの処理装置も過大となり、設置場所も広大になるなどの問題があった。
【０００６】
また、これまでは特定の重金属類や懸濁物質等の処理には有効な廃水処理剤や処理方法であっても（特許文献４〜８）、近年では、重金属類、懸濁物質、有害物質、着色物質等が共存又は複合する廃水もある。このため、このような処理困難な廃水を迅速に処理することができ、簡便で、低コストかつ高い除去性能を有する廃水処理剤および廃水処理方法の開発が必要とされている。
【先行技術文献】
【特許文献】
【０００７】
【特許文献１】特開２００９−１９５７７５号公報
【特許文献２】特開２００９−２２００６７号公報
【特許文献３】特開２０１１−２４５４３１号公報
【特許文献４】特許第５１７０４６１号公報
【特許文献５】特開２０００−２４６２６７号公報
【特許文献６】特開２０１０−８２５０７号公報
【特許文献７】特開２００６−１６７５９８号公報
【特許文献８】特開平６−１３４４６８号公報
【発明の概要】
【発明が解決しようとする課題】
【０００８】
前述のように、重金属類、有害物質、着色物質等を含む廃水からこれらの物質を除去する技術は種々開発されているが、ポリマーディスパージョン等の懸濁物質を含む廃水を迅速に凝集沈殿させて分離除去することができる廃水処理剤については報告がない。
【０００９】
従って、本発明の課題は、特殊な装置や多大な設備を必要とせず、ポリマーディスパージョン等の懸濁物質を迅速に清浄な上澄み水と凝集沈殿物に固液分離することができる廃水処理剤を提供することにある。
【課題を解決するための手段】
【００１０】
そこで、本発明者は、前記課題を解決するため種々検討した結果、ポリマーディスパージョン等の懸濁物質を含む廃水にカルシウムアルミネート、硫酸アルミニウム、石灰および高分子凝集剤から構成され、さらに、還元剤及びアルカリ金属リン酸塩から選ばれる１種又は２種以上を含有する廃水処理剤を添加することによって、特殊な装置や設備を必要とすることなく、迅速に清浄な上澄み水と凝集沈殿物に固液分離することができることを見出し、本発明を完成した。
【００１１】
すなわち、本発明は、以下の〔１〕〜〔７〕の廃水処理剤を提供するものである。
【００１２】
〔１〕懸濁物質を処理対象とする廃水処理剤であって、カルシウムアルミネート１００質量部、硫酸アルミニウム１０〜１１０質量部、石灰５〜１５００質量部及び高分子凝集剤１〜２０質量部を含有する廃水処理剤。
〔２〕懸濁物質がポリマーディスパージョンを主成分とするものである前記〔１〕の廃水処理剤。
〔３〕カルシウムアルミネートが、ＣａＯとＡｌ2Ｏ3の含有モル比がＣａＯ／Ａｌ2Ｏ3＝０．９〜１．４の結晶質カルシウムアルミネートおよび／またはＣａＯとＡｌ2Ｏ3の含有モル比がＣａＯ／Ａｌ2Ｏ3＝１．６〜２．６の非晶質カルシウムアルミネートである前記〔１〕又は〔２〕の廃水処理剤。
〔４〕さらに、還元剤１０〜３００質量部及び／又はアルカリ金属リン酸塩０．５〜２０質量部を含有する前記〔１〕〜〔３〕の何れかの廃水処理剤。
〔５〕廃水１００質量部に対して０．０５〜３．０質量部添加する前記〔１〕〜〔４〕の何れかの廃水処理剤。
〔６〕廃水が、さらに重金属類、有害物質及び着色物質から選ばれる１種以上を含むものである〔１〕〜〔５〕の何れかの廃水処理剤。
〔７〕懸濁物質が、ポリマーセメント、ポリマーモルタルまたはポリマーコンクリートの製造後の製造設備洗浄廃水中のポリマーディスパージョンを主成分とするものである前記〔１〕又は〔６〕の何れかの廃水処理剤。
【発明の効果】
【００１３】
本発明の廃水処理剤を用いれば、遠心分離機等の特殊な設備や多大な設備を必要とすることなく、ポリマーディスパージョン等の懸濁物質を含む廃水を迅速に清浄な上澄み水と凝集沈殿物に固液分離することができる。
【図面の簡単な説明】
【００１４】
【図１】重金属除去試験フローを示す図である。
【発明を実施するための形態】
【００１５】
本発明の廃水処理剤は、カルシウムアルミネート１００質量部、硫酸アルミニウム１０〜１１０質量部、石灰５〜１５００質量部及び高分子凝集剤１〜２０質量部を含有する。
【００１６】
カルシウムアルミネートは、ＣａＯとＡｌ2Ｏ3を主成分とする化合物である。例えば、３ＣａＯ・Ａｌ2Ｏ3、ＣａＯ・Ａｌ2Ｏ3、１２ＣａＯ・７Ａｌ2Ｏ3、１１ＣａＯ・７Ａｌ2Ｏ3・ＣａＦ2などが挙げられるが、ポリマーディスパージョン等の懸濁物質の凝集沈殿促進効果の点から、ＣａＯ・Ａｌ2Ｏ3、１２ＣａＯ・７Ａｌ2Ｏ3、１１ＣａＯ・７Ａｌ2Ｏ3・ＣａＦ2が好ましく、ＣａＯ・Ａｌ2Ｏ3および１２ＣａＯ・７Ａｌ2Ｏ3がさらに好ましい。またこれらのカルシウムアルミネートは結晶質あるいは非晶質のものがあるが、結晶質のＣａＯ・Ａｌ2Ｏ3または非晶質の１２ＣａＯ・７Ａｌ2Ｏ3が好ましく、双方を混合したものでも良い。
カルシウムアルミネートの粉末度は特に限定されるものではないが、凝集促進効果の点からブレーン比表面積で、３０００〜９０００ｃｍ2／ｇが好ましく、さらには４０００〜６０００ｃｍ2／ｇがより好ましい。
本発明で用いるカルシウムアルミネートは、ＣａＯとＡｌ2Ｏ3の含有モル比がＣａＯ／Ａｌ2Ｏ3＝１．６〜２．６の非晶質カルシウムアルミネートあるいは、ＣａＯ／Ａｌ2Ｏ3＝０．９〜１．４の結晶質カルシウムアルミネートが好ましく、双方を任意の割合で混合しても良い。
【００１７】
硫酸アルミニウムは、化学成分としてＡｌ2（ＳＯ4）3・ｎＨ2Ｏで表される水和物、あるいはＡｌ2（ＳＯ4）3で表される無水塩の何れでも良い。好ましくは、凝集効果に優れていることから、ｎが１３〜１７の水和物が良い（硫酸アルミニウムの純度：５３〜５９％）。一般に硫酸バンドと呼ばれる粉末の試薬および工業品であれば特に限定されず、望ましくはＪＩＳ  Ｋ  １４２３に準拠したものがより好ましい。
硫酸アルミニウムの含有量は、廃水処理剤中にカルシウムアルミネート１００質量部に対して１０〜１１０質量部であり、好ましくは１０〜１００質量部である。硫酸アルミニウムの含有量が、１０質量部未満では、排水のｐＨが高くなる傾向があり、１１０質量部を超えると十分な凝集促進効果が得られない。なお硫酸アルミニウムは水和物総重量換算である。
【００１８】
石灰としては、例えば消石灰、生石灰、石灰石微粉末などが挙げられるが、消石灰および生石灰が好ましい。
石灰の粉末度は特に限定されるものではないが、凝集促進効果の点からブレーン比表面積で３０００〜１００００ｃｍ2／ｇが好ましく、４０００〜８０００ｃｍ2／ｇがより好ましい。
石灰の含有量は、廃水処理剤中にカルシウムアルミネート１００質量部に対して５〜１５００質量部である。消石灰を用いる場合、消石灰の含有量は、廃水処理剤中にカルシウムアルミネート１００質量部に対して８０〜１５００質量部であり、好ましくは８０〜１０００質量部である。消石灰の含有量が８０質量部未満では十分な凝集沈殿効果が得られず、１５００質量部を超えると廃水のｐＨが高くなる傾向になる。また生石灰を用いる場合、生石灰の含有量は、廃水処理剤中にカルシウムアルミネート１００質量部に対して５〜２００質量部であり、好ましくは５〜１００質量部である。生石灰の含有量が５質量部未満では十分な凝集沈殿効果が得られず、２００質量部を超えると十分な凝集促進効果が得られない。
【００１９】
高分子凝集剤としては、カチオン系高分子凝集剤、アニオン系高分子凝集剤、ノニオン系高分子凝集剤、カチオン基とアニオン基とノニオン基を同時に有する両性高分子凝集剤などが挙げられる。本発明ではポリマーディスパージョン含有懸濁物質だけでなく、多種多様な廃水の処理に対応するため、カチオン、アニオン、ノニオン性凝集剤の特長を全て兼ね備えた両性高分子凝集剤の使用が好ましい。
高分子凝集剤の含有量は、凝集性能及び経済性の面から廃水処理剤中にカルシウムアルミネート１００質量部に対して１〜２０質量部が好ましく、１〜１０質量部がより好ましい。
【００２０】
本発明の廃水処理剤には、さらに懸濁物質の凝集促進効果を向上させる目的で、カルシウムアルミネート１００質量部に対して、還元剤及びアルカリ金属リン酸塩から選ばれる１種又は２種以上を併用することができる。
【００２１】
還元剤をカルシウムアルミネートと併用することで、優れた凝集促進効果が得られる。還元剤としては、硫酸第一鉄、チオ硫酸ナトリウム、ギ酸、シュウ酸などが挙げられるが、取扱いが容易で、比較的安価であることから硫酸第一鉄が好適に使用できる。硫酸第一鉄としては、結晶水を７つ持つ硫酸第一鉄七水和物と結晶水を１つ持つ硫酸第一鉄一水和物があるが、保存安定性が高い硫酸第一鉄一水和物を用いるのが好ましい。
硫酸第一鉄一水和物の含有量は、還元効果と経済性の点から、廃水処理剤中にカルシウムアルミネート１００質量部に対して１０〜３００質量部が好ましく、より好ましくは１０〜２００質量部である。
【００２２】
アルカリ金属リン酸塩としては、リン酸ナトリウムやリン酸カリウムなどの易溶性の塩が挙げられる。本発明では、アルカリ金属リン酸塩を配合することにより、良好な凝集促進効果が得られる。アルカリ金属リン酸塩としては、下記式（１）〜（３）で表されるリン酸カリウムが好ましく、凝集促進効果に優れていることから下記式（２）で表されるリン酸二水素カリウムがより好ましい。
リン酸二水素カリウムの含有量は、廃水処理剤中にカルシウムアルミネート１００質量部に対して０．５〜２０質量部が好ましく、０．５〜１０質量部がより好ましい。
【００２３】
Ｋ2ＨＰＯ4    （１）
ＫＨ2ＰＯ4    （２）
Ｋ3ＰＯ4      （３）
【００２４】
本発明の廃水処理剤は、前記カルシウムアルミネート、硫酸アルミニウム、石灰及び高分子凝集剤を含有していればよく、廃水の凝集性や重金属類等の有害成分の除去効果に影響を与えなければ、他の成分、例えばキレート剤、普通セメント、早強セメント、超早強セメント、中庸熱セメント、低熱セメント、耐硫酸塩セメント等のポルトランドセメント、高炉セメント、シリカセメント、フライアッシュセメント等の混合セメント、白色セメント、エコセメント、アルミナセメント、コロイドセメント、超微粒子セメント、セメント系固化材等の特殊セメント、無水石膏、二水石膏、半水石膏等の石膏類、天然又は人工ゼオライト、モンモリロナイト、カオリン、ベントナイト等の粘土鉱物等を含有していてもよい。
【００２５】
本発明による処理の対象となる廃水は、少なくとも懸濁物質を含むものである。また、懸濁物質以外に重金属類、有害物質及び着色物質から選ばれる１種以上を含む廃水でも良い。このうち懸濁物質としては、ＪＩＳ  Ｋ  ０１０２：２０１６で規定されるものなら何れのものも該当する。好適にはポリマーディスパージョン等の懸濁物質、より好適にはポリマーセメントやポリマーモルタル又はポリマーコンクリートの結合相を形成するポリマーを主成分とする懸濁物質を挙げることができる。また、対象廃水に含まれる有害物質とは、水質汚濁防止法第２条第２項第１号で規定する物質であり、具体的には、六価クロム及びその化合物、ほう素及びその化合物、ふっ素及びその化合物、セレン及びその化合物、砒素及びその化合物、鉛及びその化合物、カドミウム及びその化合物、総水銀、有機燐化合物、ベンゼン、塩化ビニルモノマー、ジクロロメタン等が例示される。好適には、水質汚濁防止法第２条第２項第１号で規定する物質のうち無機系の物質を挙げることができる。また、対象廃水に含まれる重金属類とは、概ね比重４以上の金属が該当し、好適にはこのうち、１００℃以下の水に実質溶解しない金属（例えば貴金属）を除いた金属である。この重金属類は、前記水質汚濁防止法第２条第２項第１号で規定される物質の一部にも該当する。また、対象廃水に含まれる着色物質とは、水を着色できる物質であれば特に限定されない。一例を示すと、鉄、銅、マンガン、ニッケル、アルミニウムなどの金属イオンやその錯体、酸化チタンなどの金属化合物、フミン酸、フルボ酸などの有機酸やその塩、藻類などの微生物、その他の染料や顔料、食品添加物用着色料などを挙げることができる。また、本発明による処理の対象となる廃水は、特に、ポリマーディスパージョンを用いたポリマーセメントモルタルやポリマーコンクリートを製造した後に、混練ミキサー等の製造設備の洗浄等で生じるポリマーディスパージョンが含まれだ洗浄廃水や各種産業界および下水道等から排出される重金属類や着色物質等の含有廃水が、最も好適な処理対象である。
【００２６】
本発明の廃水処理方法は、少なくとも懸濁物質を含む廃水に、前記の廃水処理剤を添加し、凝集沈殿させ、固液分離する方法である。廃水処理剤の添加量は、廃水１００質量部に対して０．０５〜３．０質量部が好ましく、０．１〜１．０質量部がより好ましい。また、固液分離の方法は特に限定されず、何れの方法でも良い。
【００２７】
廃水処理剤を添加した廃水は、ポリマーディスパージョン等の懸濁物質の除去を促進させるため、混合するのが好ましい。混合手段は、特に限定されず、通常の攪拌機を用いればよい。廃水処理剤添加後の廃水は、凝集が促進されるため、撹拌停止直後から沈殿が生じ、二層に分離する。特殊な装置を使用せず、例えば沈降分離槽等の設置により固液分離すれば、液層（水層）からは懸濁物質や重金属類および着色物質が除去されている。
【００２８】
処理後の液層（水層）は、懸濁物質、重金属類や有害物質の含有量が顕著に低下しているので、必要に応じてｐＨ調整すれば、そのまま放流することができる。一方、固層（凝集沈殿物）は、例えばセメント原料の一部として許容可能な範囲でリサイクルすればよい。
【実施例】
【００２９】
次に実施例を挙げて本発明を詳細に説明するが、本発明はこれら実施例に限定されるものではない。
【００３０】
実施例及び比較例に使用した材料及び分析方法は以下の通りである。
＜使用材料＞
（１）排水
ポリマーディスパージョン含有模擬廃水
廃水Ａ：太平洋ＣＸ−Ｂ（スチレン・ブタジエン共重合体系）１００倍希釈液
廃水Ｂ：ＴＭポリマーＣ（アクリル酸エステル共重合体系）１００倍希釈液
ポリマーセメントモルタル練り混ぜミキサー洗浄廃水（建設現場実廃水）
廃水Ｃ：スチレン・ブタジエン共重合体系
廃水Ｄ：アクリル酸エステル共重合体系
都市ごみ焼却灰水洗水
黒色脱墨廃水（略号：廃水ａ）：製紙会社
青色着色廃水（略号：廃水ｂ）：製紙会社
緑色着色廃水（略号：廃水ｃ）：製紙会社
（２）廃水処理剤
カルシウムアルミネート：（略号：ＣＡ１、ＣＡ２）太平洋マテリアル(株)製
ＣＡ１：ＣａＯ・Ａｌ2Ｏ3＝モル比１．７の非晶質カルシウムアルミネート（非晶質１２ＣａＯ・７Ａｌ2Ｏ3）
ＣＡ２：ＣａＯ・Ａｌ2Ｏ3＝モル比１．０の結晶質カルシウムアルミネート
硫酸アルミニウム（略号：ＡＬＳ）：大明化学工業(株)製、純度５３〜５９％
生石灰（略号：ＣＡＯ）：太平洋マテリアル(株)製
消石灰（略号：ＣＡＨ）：関東化学社製  粉末試薬
硫酸第一鉄一水和物（略号：ＦＳＨ）：富士チタン工業社製
リン酸二水素カリウム（略号：ＫＨＰ）：関東化学社製  粉末試薬
高分子凝集剤（略号：ＰＦＡ）：両性高分子凝集剤  市販品
キレート剤（略号：ＫＡ）：廃水用キレート剤  市販品
ポリ塩化アルミニウム（略号：ＰＡＣ）：一般市販品
【００３１】
＜廃水処理剤の作製＞
【００３２】
表１に示す割合で上記使用材料を配合し、本実施例の廃水処理剤および比較例の廃水処理剤を作製した。
【００３３】
【表１】
2018167180.tif 000002
【００３４】
［ポリマーディスパージョン含有廃水の凝集沈殿効果の試験］
種類の異なる市販のポリマーエマルジョンを１００倍に希釈した模擬廃水（廃水Ａ、廃水Ｂ）と建設現場より発生した２種類のポリマーセメントモルタルの練り混ぜミキサー洗浄廃水（廃水Ｃ、廃水Ｄ）をそれぞれ１０００ｍＬ採取してビーカーに入れ、廃水処理剤をポリマーディスパージョン含有廃水対して外割で各添加量を設定し、凝集沈殿効果、上澄み水の濁度および透視度を確認した。凝集沈殿効果の確認は、対象とする廃水１００重量部に対して、外割で所定の廃水処理剤を添加して撹拌した後、静置１分以内に凝集物の沈降が終了するか否かを評価基準した。濁度は濁度計で測定し、透視度の測定は、高さ５００ｍｍ、内径３０ｍｍのガラス製透視度計に上澄み水を入れ、底板に表示された十字線を目視で確認できるかを基準とした。目視で確認できれば合格とし（透視度：５００ｍｍ以上）、確認できない場合は不合格とした。なお、練り混ぜミキサー洗浄廃水（廃水Ｃ、廃水Ｄ）は、廃水中に６価クロムが含有しているため、廃水処理剤による除去効果も確認した。６価クロムの測定は、JIS K 0102-2013 65.2.1ジフェニルカルバジド吸光光度法に準拠して測定した。表２に試験結果を示す。
【００３５】
【表２】
2018167180.tif 000003
【００３６】
表２の結果より、各ポリマーディスパージョン含有廃水１００質量部に対して本発明の廃水水処理剤を添加することにより、凝集が顕著に促進でき、凝集沈殿後の上澄み水も濁度、透視度および水質基準（６価クロム）をクリアしていることがわかる。
【００３７】
［廃水処理剤の重金属除去効果の試験］
各種重金属類を含有する都市ごみ焼却灰水洗水を用いて、表１に示す廃水処理剤の添加による重金属除去試験を行った。都市ごみ焼却灰水洗水に廃水処理剤を所定量添加し、３分間撹拌後、静置した。凝集沈殿後の上澄み水を０．４５μｍのメンブランフィルターでろ過し、重金属分析用の検液とした。また比較として、市販の廃水用キレート剤を用いて、同様の試験を行った。なお、キレート剤を用いた場合は、キレート剤メーカーが推奨する凝集剤としてポリ塩化アルミニウム（ＰＡＣ）を別途添加し、凝集沈殿を行った。図１に重金属除去試験のフローを示す。また、表３に重金属類の分析方法、表４に重金属除去試験結果を示す。
【００３８】
【表３】
2018167180.tif 000004
【００３９】
【表４】
2018167180.tif 000005
【００４０】
表４から明らかなように、カルシウムアルミネート（ＣＡ）１００質量部、硫酸アルミニウム（ＡＬＳ）１０〜１１０質量部、石灰（ＣＡＯ又はＣＡＨ）５〜１５００質量部及び高分子凝集剤（ＰＦＡ）１〜２０質量部を含有する廃水処理剤、さらに、還元剤１０〜３００質量部及びアルカリ金属リン酸塩０．５〜２０質量部から選ばれる１種又は２種以上を含有する廃水処理剤を用いれば、都市ごみ焼却灰水洗水中の有害な重金属類を除去することができ、水質汚濁に係る環境基準値をクリアすることが可能であった。また、キレート剤では除去できない重金属類（ほう素、ふっ素、ひ素、セレン）についても除去可能であることが判明した。
【００４１】
［着色懸濁廃水の凝集沈殿効果の試験］
製紙会社より排出された３種類の着色懸濁廃水５００ｍＬをビーカーに入れ、表５の配合で調整した廃水処理剤を着色懸濁廃水に対して外割で各添加量を設定し、凝集沈殿効果および上澄み水のｐＨ、濁度および色度を確認した。凝集沈殿効果の確認は、前記ポリマーディスパージョン含有廃水の凝集沈殿効果の試験と同様に対象とする廃水１００重量部に対して、外割で所定の排水処理剤を添加して撹拌した後、静置１分以内に凝集物の沈降が終了するか否かを評価基準した。濁度および色度は、濁度計および色度計で測定した。表６に測定結果を示す。
【００４２】
【表５】
2018167180.tif 000006
【００４３】
【表６】
2018167180.tif 000007
【００４４】
表６から明らかなように、各着色懸濁廃水１００質量部に対して本発明の廃水水処理剤を０．０５〜０．１質量％添加することにより、凝集が顕著に促進でき、凝集沈殿後の上澄み水もｐＨ、濁度および色度の水質基準をクリアしていることがわかる。
【図１】
2018167180.tif 000008